(57)【要約】【課題】 ドレン排水の中和処理が不要な高効率の給湯器を提供することを目的とする。【解決手段】 主熱交換器１８においてドレンを発生することなく燃焼ガス中の顕熱を回収するとともに、副熱交換器１９において燃焼ガスをドレンの発生する温度まで下げて燃焼ガス中の顕熱と潜熱とを回収する。  副熱交換器１９において発生したドレンは、ドレン蒸発器１００上において外部で加熱された空気と接触するような構成とする。  このように燃焼室の外部で加熱した空気を利用してドレンを確実に蒸発する構成としたことから、発生したドレンを中和するための中和装置を設ける必要がない。また、燃焼ガスを利用してドレンを蒸発させる場合と比較して、熱効率は向上する。【選択図】    図１
2005061791.tif 000002
【特許請求の範囲】
【請求項１】
燃焼室内で燃料を燃焼するバーナと、
上記バーナの燃焼ガスから顕熱を回収して伝熱管内の通水を加熱する主熱交換器と、
上記主熱交換器を通過した燃焼ガスから、該主熱交換器で回収しきれなかった顕熱に加えて潜熱を回収して伝熱管内の通水を加熱する副熱交換器と、
上記副熱交換器での潜熱回収によって発生したドレンを加熱して蒸発させるドレン蒸発器と
を備えた給湯器において、
燃焼室の外部で空気を加熱し、該加熱された空気を上記ドレン蒸発器に向けて供給する加熱空気供給手段を備えたことを特徴とした給湯器。
【請求項２】
上記加熱空気供給手段における空気の加熱は、燃焼室外壁からの放熱を利用して行うことを特徴とした請求項１記載の給湯器。
【請求項３】
上記加熱空気供給手段は、上記ドレン蒸発器に供給する空気を乾燥する空気乾燥手段を備えたことを特徴とした請求項１記載の給湯器。
【請求項４】
燃焼室内で燃料を燃焼するバーナと、
上記バーナの燃焼ガスから顕熱を回収して伝熱管内の通水を加熱する主熱交換器と、
上記主熱交換器を通過した燃焼ガスから、該主熱交換器で回収しきれなかった顕熱に加えて潜熱を回収して伝熱管内の通水を加熱する副熱交換器と、
上記副熱交換器での潜熱回収によって発生したドレンを加熱して蒸発させるドレン蒸発器と
を備えた給湯器において、
燃焼室の外部で空気を乾燥し、該乾燥された空気を上記ドレン蒸発器に向けて供給する乾燥空気供給手段を備えたことを特徴とした給湯器。 
【発明の詳細な説明】
【技術分野】
【０００１】
本発明は、燃焼ガスにより通水を加熱する熱交換器を備えた給湯器に関する。
【背景技術】
【０００２】
従来より給湯器の分野においては、給水管、出湯管が接続される熱交換器と、この熱交換器を加熱するバーナと、バーナに燃焼用空気を供給するファンとを備えた給湯器が知られている。
このような給湯器は、バーナにおける燃焼熱でもって、熱交換器において通水を加熱し、出湯管より温水を供給するように構成される。
【０００３】
ところで、通常こうした給湯器においては、熱交換器にドレンが発生することを防止するために、熱交換器においては十分に熱回収しないまま高温排気を排出しなくてはならず、高い熱交換率が得られていない。
ドレンは、燃焼ガスが露点（およそ５０〜６０℃）以下になると発生するものであるから、原理的には熱交換器で露点まで熱交換して、ドレンを発生させずに燃焼ガス中の顕熱を回収することが可能である。しかしながら、熱交換器には通水部である伝熱管のような局所的な低温部が存在するため、実際には低温部での部分的なドレン発生を防ぐために、燃焼排気をかなりの高温で排出しなければならず、十分な顕熱を回収できていない。
【０００４】
そこで、最近では特許文献１に示すように、一旦燃焼ガスをドレンが発生する温度まで下げて潜熱を回収した後、発生したドレンについては燃焼ガスと接触させて蒸発させる給湯器の提案がされている。
この給湯器は、同一燃焼ガス流路に、主熱交換器と副熱交換器とドレン蒸発器とを備え、主熱交換器において燃焼ガス中の顕熱を回収し、副熱交換器においてドレンを発生させ、潜熱および主熱交換器で回収しきれなかった顕熱を回収し、ドレン蒸発器において、副熱交換器で発生したドレンを燃焼ガス熱を利用して蒸発させる。
この給湯器によれば、副熱交換器で回収された潜熱と同量の熱量がドレンの蒸発に使用されるため、結果的には潜熱の回収は行われないものの、副熱交換器においては露点温度以下まで燃焼ガスの温度を下げて燃焼ガス熱を回収できる。つまり、副熱交換器においてはドレン発生防止のために高温排気を無駄に排出する必要がなく、通常の給湯器と比較し顕熱について高い回収率を得ることができるのである。
【特許文献１】特開２００２−９８４１８
【発明の開示】
【発明が解決しようとする課題】
【０００５】
しかしながら上記従来技術においては、理論上は最大限の顕熱を回収することが可能であるものの、同一燃焼ガス流路に主熱交換器と副熱交換器とドレン蒸発器とを備え、ドレンの蒸発を燃焼ガス熱を用いて行うために、実際には効率よく熱回収することが困難であった。
つまり、ドレン蒸発器を燃焼ガス流路の最も下流に備えた場合には、主副熱交換器において十分な熱回収を行ってしまうと、ドレン蒸発器に達する燃焼ガスは温度が低くなりすぎてしまい、ドレンの蒸発能力が低くなってしまう。そのため、発生したドレンを完全に蒸発させるためには、ドレン蒸発器よりも上流での熱回収率をわざわざ下げる必要がある。
一方、副熱交換器を排気流路の最も下流に備えた場合には、燃焼ガスの熱はドレン蒸発時に奪われてしまう。そのため、副熱交換器に達するまでに燃焼ガスの温度が低くなってしまい、副熱交換器における顕熱回収効率が悪くなってしまうのである。
【０００６】
本発明は、かかる問題を解決し、発生したドレンの蒸発能力を向上させることにより熱回収効率を向上させた給湯器を提供することを目的とする。
【課題を解決するための手段】
【０００７】
上記課題を解決する本発明の請求項１記載の給湯器は、燃焼室内で燃料を燃焼するバーナと、
上記バーナの燃焼ガスから顕熱を回収して伝熱管内の通水を加熱する主熱交換器と、
上記主熱交換器を通過した燃焼ガスから、該主熱交換器で回収しきれなかった顕熱に加えて潜熱を回収して伝熱管内の通水を加熱する副熱交換器と、
上記副熱交換器での潜熱回収によって発生したドレンを加熱して蒸発させるドレン蒸発器と
を備えた給湯器において、
燃焼室の外部で空気を加熱し、該加熱された空気を上記ドレン蒸発器に向けて供給する加熱空気供給手段を備えたことを要旨とする。
【０００８】
また、上記課題を解決する本発明の請求項２記載の給湯器は、上記請求項１記載の給湯器において、上記加熱空気供給手段における空気の加熱は、燃焼室外壁からの放熱を利用して行うことを要旨とする。
【０００９】
また、上記課題を解決する本発明の請求項３記載の給湯器は、上記請求項１記載の給湯器において、上記加熱空気供給手段は、上記ドレン蒸発器に供給する空気を乾燥する空気乾燥手段を備えたことを要旨とする。
【００１０】
また、上記課題を解決する本発明の請求項４記載の給湯器は、燃焼室内で燃料を燃焼するバーナと、
上記バーナの燃焼ガスから顕熱を回収して伝熱管内の通水を加熱する主熱交換器と、
上記主熱交換器を通過した燃焼ガスから、該主熱交換器で回収しきれなかった顕熱に加えて潜熱を回収して伝熱管内の通水を加熱する副熱交換器と、
上記副熱交換器での潜熱回収によって発生したドレンを加熱して蒸発させるドレン蒸発器と
を備えた給湯器において、
燃焼室の外部で空気を乾燥し、該乾燥された空気を上記ドレン蒸発器に向けて供給する乾燥空気供給手段を備えたことを要旨とする。
【発明の効果】
【００１１】
上記構成を有する本発明の請求項１記載の給湯器は、加熱空気供給手段が空気を加熱しドレン蒸発器へと供給する。そのため、ドレン蒸発器において、ドレンと高温の空気とは接触する。
供給される空気は、燃焼室の外部の空気を加熱したものであるため、燃焼ガスを利用する場合とは異なり燃料ガスの燃焼に伴い発生する水分を含まないことから、水分を蒸発させやすい。従って、ドレン蒸発器により受けられたドレンは効率よく蒸発する。
また、従来の排気熱のみを用いてドレンを蒸発させる場合のように、ドレン蒸発のためにドレン蒸発器よりも上流にある熱交換器での熱回収効率をわざわざ下げる必要がなく、また逆にドレン蒸発器よりも下流にある熱交換器の熱回収効率が悪化することもない。
つまり、ドレンの蒸発を外部で加熱した空気を用いて行うことにより、給湯器の熱回収効率を上げることができるのである。
【００１２】
また、本発明請求項２記載の給湯器は、加熱空気供給手段が燃焼室外壁からの放熱を利用して空気を加熱する。
そのため、ドレン蒸発のために専用の熱源を設けることなく安価で簡単にドレンの蒸発を行うことができる。
また、燃焼室外壁からの放熱は、本来利用されずに放出される熱であるため、そのような熱を回収してドレンの蒸発に利用することにより、器具全体としては熱回収率が向上させることができる。
【００１３】
上記構成を有する本発明の請求項３記載の給湯器は、加熱空気供給手段に備えられた空気乾燥手段が空気を乾燥させる。
空気加熱部において空気が加熱されると同時に空気が乾燥されるため、ドレン蒸発器に供給される空気は高温且つ乾燥しており、ドレン蒸発器におけるドレンの蒸発をより早くすることができる。
これより、副熱交換器ではより多くのドレンを発生させることができる。つまり、より多くの燃焼ガス中の熱の回収を行うことができるのである。
【００１４】
上記構成を有する本発明の請求項４記載の給湯器は、空気乾燥部が空気を乾燥し、空気乾燥部で乾燥された空気はドレン蒸発器の上面へと案内される。
これより、ドレン蒸発器に回収されたドレンと、空気乾燥部で乾燥された空気とは接触する。
空気加熱部で乾燥された空気は湿度が低いために水分を蒸発させやすい。従って、ドレン蒸発器により受けられたドレンは効率良く蒸発する。
この結果、乾燥部においては乾燥剤などが必要になるものの、従来ドレン処理を行う場合に必要とされた中和器および中和剤が不要となる。一般に乾燥剤などを用いた乾燥処理は中和剤を用いた中和処理と比較して安価で人体への害が少ないため、使用者のメンテナンス時における負担の少ない高効率の給湯器を安価に提供することができる。
【発明を実施するための最良の形態】
【００１５】
以上説明した本発明の構成、作用を一層明らかにするために、以下、本発明の給湯器における好的な実施例について説明する。
【実施例１】
【００１６】
本実施例の給湯器は、図１に示すように、器具ケーシング１２内に燃焼室２０が設けられ、燃焼室２０を囲むように空気加熱室２００が設けられる。また、燃焼室２０および空気加熱室２００の下方にＤＣモータ４８と連結した給気ファン３６が取り付けられ、燃焼室２０および空気加熱室２００にそれぞれ空気を送り込む。
尚、器具ケーシング１２には、外気を取り込むための給気口３０が形成される。
【００１７】
燃焼室２０内には、下から順に、燃焼ガスと給気ファン３６からの一次空気との混合ガスを燃焼するバーナ２２と、バーナ２２からの燃焼ガスの殆どの顕熱を回収する主熱交換器１８とが設けられる。
【００１８】
また、燃焼室２０の上部には、主熱交換器１８を通過した燃焼ガスの排気通路２１が鍵型に形成される。 
排気通路２１は、高温排気室２１ａと２次熱交換部２１ｂとからなる。高温排気室２１ａは主熱交換器１８の上部に形成され、２次熱交換部２１ｂは高温排気室２１ａの側部に形成される。そして、２次熱交換部２１ｂには主熱交換器１８で回収しきれなかった顕熱と潜熱とを回収する副熱交換器１９が備えられる。
【００１９】
また、副熱交換器１９の真下には、副熱交換器１９において発生したドレンを回収するとともに、蒸発させるドレン蒸発器１００が備えられる。
尚、ドレン蒸発器１００の側方には空気加熱室２００の開口部２１９が形成され、空気加熱室２００で加熱された空気をドレン蒸発器１００に案内するように構成されるが、これについての詳細は後述する。
【００２０】
器具ケーシング１２内に設けられる通水管は、上流から順に、給水管１４、副熱交換器１９に設けられる副伝熱管１９ａ、主熱交換器１８に設けられる主伝熱管１８ａ、および出湯管１６から構成される。
【００２１】
給水管１４には水流センサや水ガバナを備える水側制御ユニット５０が設けられる。
副伝熱管１９ａは、ステンレスで形成され、主熱交換器１８を通過した燃焼ガスの排気熱を回収するとともに発生したドレンをドレン蒸発器１００へと案内する多数のフィン１９ｂを奥行方向に備える。
主伝熱管１８ａは、燃焼熱を吸収をする多数の熱回収フィン１８ｂを奥行方向に備える。
【００２２】
ドレン蒸発器１００は、図５に示すように回収したドレンを蒸発させるドレン蒸発部１０１と燃焼室２０に固定されるドレン蒸発器固定部１１１とから構成される。
ドレン蒸発部１０１は、耐酸性、耐熱性、親水性をもつセラミック板より構成される。
ドレン蒸発器固定部１１０は、１枚のステンレス板から構成され、空気加熱室２００に固定される空気加熱室固定部１１１と、ドレン蒸発部１０１を挟み込み固定する固定部１１２と、ドレン蒸発部１０１を載置して支える支え部１１３と、ドレンの落下を防止するドレン落下防止部１１４からなる。
空気加熱室固定部１１１にはネジ孔１１１ａが形成され、ステンレス製のネジにより空気加熱室２００に固定される。
固定部１１２は、支え部１１３の両端にコの字型に形成される。
ドレン落下防止部１１４は、ドレンの器具外への落下を防止するため、図１に示すように排気口４４ｂに向かって高くなるように１０°程の傾斜が形成される。
【００２３】
ドレン蒸発器１００および副熱交換器１９の側方には、主熱交換器１８、副熱交換器１９で熱交換後の燃焼ガスおよび空気加熱室２００で加熱された空気を器具ケーシング１２外へ排出する排気口４４が形成される。
【００２４】
空気加熱室２００は、図２に示すように一枚の鉄鋼板により外装を構成する。外装は側面部２１１と、下面部２１２と、上面部２１３と、燃焼室固定フランジ部２１４とから構成される。
下面部２１２には、給気ファン３６からの給気を取り込めるように給気孔２１６が備えられるとともに、給気ファン３６をネジで取り付けるための取付孔２１７が備えられる。
上面部１２３には、空気加熱室２００で加熱された空気をドレン蒸発器１００に案内するための開口部２１９が形成される。空気加熱室２００で加熱された空気は開口部２１９より排出され、主熱交換器１８を通過した燃焼ガスと合流した後、ドレン蒸発器１００の上面を通過する。
燃焼室固定部２１４には、空気加熱室２００を燃焼室２０に取り付けるための取付孔２１８が形成される。
空気加熱室２００を燃焼室２０に固定する際には、燃焼室固定部２１４と燃焼室２０の間にパッキンを挟み込み、取付孔２１８にネジを貫通させて燃焼室２０に空気加熱室２００をネジ止めするのである。
【００２５】
次に、このように構成された給湯器１０の作動について簡単に説明する。
図示しない給湯栓を開くと、給水管１４に水（図中破線矢印）が流れ、水側制御ユニット５０内の水流センサからの検知信号によりコントローラ５８が、給気ファン３６を駆動した後、主電磁弁５４及びガス比例弁５６が開いてバーナ２２に点火する。
点火動作が終了すると、出湯温度と設定温度との差に応じてガス比例弁５６を制御して熱交換器１８の出口温度を一定に保つとともに、ガス量に応じて給気ファン３６の風量を調整する。
【００２６】
バーナ２２からの高温の燃焼ガスは、給気ファン３６により、燃焼ガス流路の上流に設けた主熱交換器１８の各フィン１８ｂ間を貫流し熱交換を行う。
ここで、主熱交換器１８では、ドレンを発生させないように、燃焼ガスに含まれた顕熱だけを回収するが、主熱交換器１８内に存在する局所的な低温部においてもドレンの発生を抑制するために、燃焼ガスの温度はある程度高温に保たなくてはならず十分な顕熱の回収が行われない。
【００２７】
主熱交換器１８を通過した燃焼ガスは、副熱交換器１９において再度の熱交換を行う。
副熱交換器１９においては、ドレンの発生を防止する必要がないため、主熱交換器１８で回収しきれなかった燃焼ガス中の顕熱とともに、潜熱の回収をも回収することが可能である。
【００２８】
副熱交換器１９における潜熱回収に伴い発生したドレンは、フィン１９ｂに沿って降下し、ドレン蒸発器１００の上に落下する。
ドレン蒸発部１０１は親水性の多孔質セラミックであるから、落下したドレンはドレン蒸発部１０１全体に拡散する。
そして、ドレン蒸発部１０１においてドレンは、空気加熱室２００で加熱された空気と接触し、加熱され蒸発する。
【００２９】
ここで、空気加熱室２００内の空気は、給湯器の燃焼運転時における燃焼室２０の外壁から外部に放熱される熱により加熱される。
バーナ２２の燃焼により発生した熱は、主熱交換器１８、副熱交換器１９などで回収されるものの他、排気口４４から排出されるもの、燃焼室２０外壁から放熱されるものがある。通常、後者の２つについては回収できない熱量として熱損失分としてカウントされる。
本実施例では、この通常回収できない熱量を用いて空気を加熱し、ドレンの蒸発に利用するのである。
【００３０】
ドレンはドレン蒸発器１００上において、空気加熱室２００を通過した空気と接触するが、この際、ドレンと接触する空気は空気加熱室２００で加熱されて温度が高くなっているため、ドレンは効率良く蒸発する。
またこの際、ドレンはセラミック性のドレン蒸発部１０１全体に拡散しているため、ドレンと燃焼ガスとの接触面積は大きくドレンはより効率よく蒸発する。
さらに、主熱交換器１８を通過した燃焼ガスの一部は、副熱交換器１９を通過する際、ドレン蒸発器１００の上部でドレンと接触し、燃焼ガスの熱量はドレンの蒸発に寄与するため、いっそうドレンの蒸発時間は短縮できる。
【００３１】
この本発明実施例１の給湯器によれば、以下の効果を奏する。
まず、空気加熱部で加熱された空気は温度が高いこと、またドレン蒸発部として親水性の多孔質セラミックを用いドレンと燃焼ガスとの接触面積を大きくする構成としたことから、ドレン蒸発器により受けられたドレンは効率よく蒸発する。
また、本実施例では主熱交換器を通過した燃焼ガスは、その一部は副熱交換器を通過しさらに熱回収されるが、残りの一部はドレン蒸発器の上部でドレンと接触し、燃焼ガスの熱量はドレンの蒸発に寄与するため、ドレンの蒸発時間はより短縮することができる。
このように、燃焼室の外部で加熱した空気を利用してドレンを確実に蒸発する構成としたことから、発生したドレンを中和するための中和装置を設ける必要がなく、排気ガスのみを利用してドレンを蒸発させる場合と比較して、熱効率は向上する。
さらに、空気加熱部を燃焼室を囲うように構成し、燃焼室の外壁から外部に放出される熱量を用いて空気を加熱することから以下の効果を奏する。まず、専用の熱源を設ける必要がないことに加え、本来回収できない熱を利用することができる。加えて、燃焼室の過熱に起因する給湯器本体ケーシングの過熱を防止することができる。
また、空気加熱室への空気の供給は給気ファン３６を用いて行うため、専用のファン等を設けなくてもよく、器具の大型化やコストアップにつながらない。
こうしたことから、中和装置のメンテナンスといった負担のない安全性の高い高効率の給湯器を安価な価格で提供することができるのである。
【実施例２】
【００３２】
次に第２実施例の給湯器について図３、図４を用いて説明する。
第２実施例の給湯器は、第１実施例の給湯器の空気加熱室２００に、乾燥剤容器３００が備えられたものである。
【００３３】
乾燥剤容器３００は、図４に示すように透明なプラスチックにより箱型に形成され、上部に５０ｍｍ四方の開口部３０４を備える。また、開口部３０４の側部には取付用フランジ３０３が備えられ、取付用フランジ３０３には、取り付け孔３０３ａが形成される。
【００３４】
また、空気加熱室２００の下面部２１２には、図４に示すように、乾燥剤容器３００の上面開口部３０４と同面積の開口部２２０が形成され、開口部２２０の近傍には鍵型の乾燥剤容器固定部２２１が備えられる。また、乾燥剤容器固定部２２１には、取り付け孔２２１ａが形成される。
【００３５】
次に、乾燥剤容器３００の空気加熱室２００への取り付け方法について説明する。
まず、乾燥剤容器３００に乾燥剤としてシリカゲルを満たす。このシリカゲルは、湿気を含むと青色から赤色に変色する薬剤により色づけされている。
そして、乾燥剤容器３００の取付用フランジ３０３が空気加熱室２００の乾燥剤容器固定部２２１の隙間に入るようにスライドする。
その状態で、空気加熱室２００の取付孔２２１ａと乾燥剤容器３００の取付孔３０３ａにネジを貫通し、手でネジを回して固定する。
【００３６】
このように構成することにより、空気加熱室２００において、空気は燃焼室２０からの放熱により加熱されるとともに乾燥剤によって乾燥される。従って、高温で乾燥されたより蒸発能力の高い空気をドレン蒸発器１００に供給することができる。
これより、ドレン蒸発器におけるドレンの蒸発をより早くすることができ、副熱交換器１９で多量のドレンを発生させた場合にもその処理が可能となる。
【００３７】
なお、器具ケーシング１２には、乾燥剤容器３００を取り外しするためのメンテナンス用扉１２ａが備えられる。メンテナンス用扉１２ａは、通常使用時には器具ケーシング１２にネジにより固定されているが、ネジを外すことにより器具ケーシング１２から取り外せるように構成される。
【００３８】
乾燥剤容器３００内のシリカゲルは、含んだ水分の量に応じて青色から赤色に変色するが、乾燥剤容器３００が透明のプラスチックにより構成されているため、外部から確認できる。
使用者は定期的にメンテナンス用扉１２ａを器具ケーシング１２より取り外すだけでシリカゲルの色が確認でき、シリカゲルの水分含有量を知ることができるのである。
【００３９】
なお、水分を含んだシリカゲルは、家庭用の電子レンジやフライパンなどの調理器を用いて熱することにより内部に含んだ水分を蒸発させることができる。
使用者は、シリカゲルの水分含有量が飽和状態にあると判断すれば、乾燥剤容器３００を空気加熱室２００に固定しているネジを手で取り外した後に乾燥剤容器３００をスライドして取り外し、乾燥剤容器３００内のシリカゲルを家庭で乾燥させることができる。
【００４０】
上述した実施例２の給湯器によれば、空気加熱部において空気が加熱されると同時に空気が乾燥されるため、ドレン蒸発器に供給される空気は高温且つ乾燥しており、水分を蒸発させやすい性質を持つ。つまり、ドレン蒸発器におけるドレンの蒸発をより早くすることができる。
これより、副熱交換器ではより多くのドレンを発生させることができ、しいては燃焼ガス中からはより多くの熱を回収することができるのである。
また、乾燥剤容器に満たす乾燥剤をシリカゲルとしたため、安価で人体への害がなく、リサイクル可能である。
つまり、使用者のメンテナンスの負担の少なく、より熱回収効率の高い給湯器を安価に提供することができる。
【００４１】
以上、本発明の実施例について説明したが、本発明は、こうした実施形態に何ら限定されるものではなく、本発明の要旨を逸脱しない範囲において種々なる形態で実施しうることはもちろんである。
例えば、本実施例１のように主熱交換器を通過した燃焼ガスとドレン蒸発器に回収されたドレンとが接触するような構成とせずに、ドレン蒸発器に回収されたドレンには空気加熱室で加熱された空気のみが接触するような構成としてもよい。
また、空気を乾燥する乾燥剤はシリカゲルに限定しないし、乾燥手段としては、乾燥剤を用いるものに限定しない。
バーナ、主熱交換器、副熱交換器、ドレン蒸発器の位置関係も実施例に限定しない。例えば、燃焼室内に、炎口を下方に向けたバーナ、主熱交換器、副熱交換器、ドレン蒸発器を上から順に設けて、ドレン蒸発器に空気加熱室を通過した空気を案内する構成とすれば、ドレンが主熱交換器に落下することが決してなく、ドレンによる主熱交換器の目詰まりは起こさない。
また、副熱交換器は、気−液熱交換を行うものであれば、フィンチューブ式のものに限定しない。
【産業上の利用可能性】
【００４２】
本発明は、ファンを備えた強制給排気式の給湯器への適用のみならず、自然燃焼式の給湯器に適用してもよい。また、給湯単機能の機器に限らず、風呂追焚機能付給湯器や、暖房機能付給湯器に適用してもよい。
【図面の簡単な説明】
【００４３】
【図１】本発明実施例１の給湯器を示した説明図である。
【図２】本発明実施例の給湯器における空気加熱室を示した説明図である。
【図３】本発明実施例２の給湯器を示した説明図である。
【図４】本発明実施例２の給湯器における乾燥剤容器を示した説明図である。
【図５】本発明実施例のドレン蒸発器を示した説明図である。
【符号の説明】
【００４４】
１２  器具ケーシング
１８  主熱交換器
１９  副熱交換器
２０  燃焼室
２１  排気通路
２２  バーナ
３６  給気ファン
４４  排気口
１８ａ  主伝熱管
１８ｂ  フィン
１９ａ  副伝熱管
１９ｂ  フィン
１００  ドレン蒸発器
１０１  ドレン蒸発部
２００  空気加熱室
３００  乾燥剤容器
【図１】
2005061791.tif 000003
【図２】
2005061791.tif 000004
【図３】
2005061791.tif 000005
【図４】
2005061791.tif 000006
【図５】
2005061791.tif 000007